(57)【要約】【課題】竪樋控え具の構成部品を一体に取り扱えるように構成することで、出荷元における個々の構成部品の管理や個包装する作業の省力化を図り、建築現場における部品取り扱いの便宜に資するようにする。【解決手段】建物の壁面に固定される座（１２）と、座（１２）と接続して竪樋（２）を壁面に沿って保持する支持部材（１１）からなる竪樋控え具構成体（１）を、座（１２）と支持部材（１１）とを継手部（１４）を介し連結して一体成形する。一体のままで建築現場に移送し、竪樋（２）を取り付ける際に、継手部（１４）を切除し、各部品を分離して使用する。【選択図】図１
2006348680.tif 000002
【特許請求の範囲】
【請求項１】
建物の壁面に固定される座と、この座と接続して竪樋を壁面に沿って保持する支持部材からなる竪樋控え具構成体において、
前記座と支持部材とが継手部を介して一体に成形された構成を有することを特徴とする竪樋控え具構成体。
【発明の詳細な説明】
【技術分野】
【０００１】
本発明は、建物の壁面に沿って配される竪樋を固定するための合成樹脂製の竪樋控え具に関する。
【背景技術】
【０００２】
竪樋を支持する支持部材と、釘などで壁面に固定される座からなり、竪樋を支持した支持部材を座に一体に接続して竪樋を壁面に沿って固定する竪樋控え具として、例えば図６に示されるように、支持部材１１を略Ｕ字形に屈曲して形成し、これを竪樋２の外周面に装着し、その両端を座１２に接続して竪樋２を支持する形態のものが知られている。
また、図７に示されるように、外周面に凹溝２ａが形成された竪樋２に対して、支持部材１１を端部に凸形の嵌着部１１ａを設けて形成し、凹溝２ａに嵌着部部１１ａを係合させて支持部材１１の一端に竪樋２を一体に取り付け、その他端を座１２に接続して竪樋２を支持する形態のものや、図８に示されるように、座１２が固定される壁面が湾曲している場合に、座１２を曲面形状のアタッチメント１３を介して壁面に取り付ける形態のものが知られている（例えば特許文献１、２参照）。
【０００３】
【特許文献１】特開平７−２７９３３３号公報
【特許文献２】特開平６−１７３４００号公報
【０００４】
これら竪樋控え具の各構成部品は、それぞれ個別に成形して在庫管理がなされるとともに、図９に示されるように、支持部材１１と座１２と、さらに釘やビス、プラグなどの固着部材３とを一組として取り揃え、透明な袋４で個包装して出荷していた。そして、建築現場まで梱包状態で配送され、施工時に開梱して使用するようにしていた。
【発明の開示】
【発明が解決しようとする課題】
【０００５】
従来の竪樋控え具の構成において、部品の出荷元では、各構成部品毎で在庫を管理する必要があり、また、対応する部品を一組として包装する際に誤って組み合わせの形態の異なる部品同士を包装してしまうこともあった。一方、建築現場では、包装された複数組の部品をまとめて開梱して、組で包装された各部品をばらばらにしてしまい、幾つかの部品を紛失させてしまうこともあった。また、個包装していた袋４が大量に廃棄され、それらを処理する必要もあった。
【０００６】
本発明は従来技術の有するこのような問題点に鑑み、竪樋控え具の構成部品を一体に取り扱えるように構成することで、出荷元における個々の構成部品の管理や個包装する作業の省力化を図り、併せて建築現場における部品取り扱いの便宜に資することを課題とする。
【課題を解決するための手段】
【０００７】
前記課題を解決するため本発明は、建物の壁面に固定される座と、この座と接続して竪樋を壁面に沿って保持する支持部材からなる竪樋控え具構成体において、前記座と支持部材とが継手部を介して一体に成形された構成を有することを特徴とする。
【０００８】
これによれば、竪樋控え具の構成部品である座と支持部材が一体に成形されており、各部品が分離してはいないので、個々の部品を管理したり個々の部品を寄せ集めて一組毎に個包装したりする必要はない。竪樋控え具は、座と支持部材が一体のままで建築現場に移送され、竪樋を取り付ける際に、座と支持部材を連結する継手部の部分を切除し、各部品を分離して取り付けに供される。
座と支持部材の他に、アタッチメントなどの構成部品がある場合には、座と支持部材とともに他の構成部品も一体に成形することが好ましい。また、継手部に、釘やビスなどを組み付けて固定しておける部位を設けてもよい。
【発明を実施するための最良の形態】
【０００９】
本発明の好適な実施形態を図面を参照して説明する。
図１〜図３は、前記図６〜図８に示した竪樋控え具に本発明を適用した実施形態の正面と側面を示した図、図４と図５はその他の実施形態の正面図であり、図中、符号１は竪樋控え具構成体、１１は支持部材、１２は座、１３はアタッチメント、１４は継手部、２は竪樋、３は釘などの固着部材をそれぞれ示している。
【００１０】
各図に示されるように、本発明の竪樋控え具構成体１は、竪樋２の周面に嵌着して竪樋２を保持する支持部材１１と、建物の壁面に固定される座１２を有してなり、これら支持部材１１と座１２とを継手部１３で連結し、一体に成形した構成のものである。
より詳しくは、支持部材１１は竪樋２の周面に嵌着する嵌着部１１ａの両端に座１２に接続する係合部１１ｂ、１１ｂを設けて形成し、座１２は固着部材３が挿通する通孔１２ａと前記係合部１１ｂ、１１ｂが係合する係合凹部１２ｂ、１２ｂを設けて形成してある。また、継手部１４は、支持部材１１と座１２を一体に連結した部位であり、連結部分を容易に切断できるように支持部材１１及び座１２よりも薄肉に設けてある。
【００１１】
図１に示された竪樋控え具構成体１は、図６に示された断面略正方形の竪樋２の固定に用いる形態のものであり、支持部材１１の嵌着部１１ａを、竪樋２の外周面にぴったりと装着する略Ｕ字形に屈曲して形成し、その嵌着部１１ａの内側に配した座１２を継手部１４で連結して一体成形したものである。
【００１２】
また、図２に示された竪樋控え具構成体１は、図７に示された外周面に凹溝２ａを有する竪樋２の固定に用いる形態のものであり、支持部材１１の嵌着部１１ａを前記凹溝２ａに係合する凸状に形成し、支持部材１１に座１２を継手部１４で連結して一体成形したものである。
【００１３】
さらに、図３に示された竪樋控え具構成体１は、図８に示された座１２がアタッチメント１３を介して取り付ける形態のものであり、支持部材１１、座１２及びアタッチメント１３を継手部１４で連結して一体成形したものである。
【００１４】
これら各形態の竪樋控え具構成体１は、支持部材１１と座１２、さらにアタッチメント１３が継手部１４を介し接続して一体成形されており、一体のままで在庫などの管理がなされて建築現場に移送され、竪樋２を取り付ける際に、継手部１４を切除し、各部品を分離して取り付けに使用されるようになっている。
【００１５】
なお、支持部材１１と座１２、アタッチメント１３は、取り付ける竪樋２の形状などに応じて適宜な形状に形成することができる。例えば図４に示されるように周面に凸部２ｂを設けた竪樋２であれば、支持部材１１の嵌着部１１ａを凸部２ｂに係合する凹形状に設けることができる。
また、図５に示されるように、継手部１４に固着部材３を一体に組み付けて固定しておくことのできる部品保持部１４ａを形成しておけば、竪樋控え具構成体１を出荷する段階で、座１２の固定に必要な固着部材３を一体に組み付けて施工場所まで移送することが可能であり、取り付け作業をより効率的に行うとができる。
【００１６】
本発明によれば、竪樋控え具の構成部品を一体に成形することで、各構成部品を一体に取り扱えることができ、従来の如く、個々の構成部品の管理や個包装する作業が不要となる。また、建築現場において、竪樋を取り付ける作業の直前に部品同士を分離すればよいので、部品を紛失させる虞れもなく、取り付け作業を効率的に行うことが可能となる。
【００１７】
なお、図示した竪樋控え具構成体とその構成部品、竪樋の形態は一例であり、本発明は図示した形態に限定されず、他の適宜な形態に構成可能である。
【図面の簡単な説明】
【００１８】
【図１】本発明の一実施形態の竪樋控え具構成体の正面と側面を示した図である。
【図２】本発明の他の実施形態の竪樋控え具構成体の正面と側面を示した図である。
【図３】本発明の他の実施形態の竪樋控え具構成体の正面と側面を示した図である。
【図４】本発明の他の実施形態の竪樋控え具構成体の正面図である。
【図５】本発明の他の実施形態の竪樋控え具構成体の正面図である。
【図６】従来の竪樋控え具の一例の使用状態を示した図である。
【図７】従来の竪樋控え具の他の例の構成図である。
【図８】従来の竪樋控え具のさらに他の例の構成図である。
【図９】竪樋控え具を移送する場合の包装状態を示した図である。
【符号の説明】
【００１９】
１  竪樋控え具構成体、１１  支持部材、１２  座、１３  アタッチメント、１４  継手部、２  竪樋、３  固着部材、４  袋
【図１】
2006348680.tif 000003
【図２】
2006348680.tif 000004
【図３】
2006348680.tif 000005
【図４】
2006348680.tif 000006
【図５】
2006348680.tif 000007
【図６】
2006348680.tif 000008
【図７】
2006348680.tif 000009
【図８】
2006348680.tif 000010
【図９】
2006348680.tif 000011